(57)【特許請求の範囲】
【請求項１】
接続面を有した第一の接続対象物と、この第一の接続対象物の接続面に対向する接続面を有した板状をなす第二の接続対象物とを前記接続面同士を合わせるように接続するための留め具であって、
前記第一の接続対象物の接続面に設けられ前記第二の接続対象物に向けて突出する突起を有したオス部材と、このオス部材に対応させて前記第二の接続対象物の接続面に設けられ前記突起と着脱可能に弾性係合する係合孔を有したメス部材とを具備してなり、前記メス部材が前記係合孔に係合した前記突起の先端を第二の接続対象物の反接続面側から視認可能にするための視認窓を備えたものであり、
前記メス部材をメス部材側の取付部材を用いて前記第二の接続対象物に取り付けるものであって、前記第二の接続対象物がメス部材取付用の貫通孔を有したものであり、前記メス部材が前記貫通孔に遊嵌する筒状部と、この筒状部の外方端部外周に設けられ前記第二の接続対象物の接続面に添接する鍔部と、前記筒状部の内方端側の外周に設けられ軸心方向に所定のピッチで配列された複数の厚み調整爪とを備えたものであり、前記メス部材側の取付部材が、前記メス部材の筒状部の外周に外嵌する外嵌筒状部と、この外嵌筒状部の外方端部外周に設けられ前記第二の接続対象物の反接続面に添接する鍔部と、前記外嵌筒状部の内方端部内周に設けられ前記メス部材の厚み調整爪の何れかに選択的に係わり合う係合爪とを備えたものであり、前記メス部材側の取付部材の外嵌筒状部が、前記メス部材の視認窓を前記第二の接続対象物の反接続面側から視認可能にするための貫通孔を備えているものであり、
前記オス部材をオス部材側の取付部材を用いて板状をなす前記第一の接続対象物に取り付けるものであって、前記第一の接続対象物が前記オス部材を取り付けるための貫通孔を有したものであり、前記オス部材が、前記貫通孔に遊嵌する筒状部と、この筒状部の外方端部に設けられ前記第一の接続対象物の接続面に添接する鍔部と、この鍔部の中心部分に突設された前記突起と、前記筒状部の内方端側外周に設けられ軸心方向に所定のピッチで配列された複数の厚み調整爪とを備えたものであり、前記オス部材側の取付部材が、前記オス部材の筒状部の外周に外嵌する外嵌筒状部と、この外嵌筒状部の外方端部外周に設けられ前記第一の接続対象物の反接続面に添接する鍔部と、前記外嵌筒状部の内方端部内周に設けられ前記オス部材の厚み調整爪の何れかに選択的に係わり合う係合爪とを備えたものであり、
前記メス部材側の取付部材と前記オス部材側の取付部材とが同一構造をなしている留め具。
【請求項２】
前記オス部材の突起が、基端側に小径部を有するとともに先端側に大径部を有した断面矢尻状のものであり、前記メス部材の係合孔が、内方端部に前記突起の大径部よりも小さな内径を有し前記突起の小径部に係わり合う縮径部を有したものであり、前記メス部材が、前記突起挿入時に前記縮径部の内径を一時的に拡張するための弾性変形促進用のスリットを有したものであり、このメス部材に前記オス部材をスナップボタン方式で着脱できるように構成された請求項１記載の留め具。
【請求項３】
前記オス部材の色彩と前記メス部材の色彩とを相互に異ならせている請求項１又は２記載の留め具。
【発明の詳細な説明】
【技術分野】
【０００１】
本発明は、留め具に関する。
【背景技術】
【０００２】
従来から、板材等の２部材を着脱可能に連結するための種々の留め具が知られている（例えば、特許文献１を参照）。
【０００３】
従来の留め具では、２つの部材を接続する際に発生するクリック音や、２つの部材を接続するべく荷重を加えた際に生じる抵抗感により、２つの部材が接続されたかどうかを確認することができるようになっている。
【０００４】
ところが、従来のものは、凹部に対して凸部を接続させていたため両者の接続作業がなされた後の段階で、両者の接続が実際に完了したかどうかを視覚を通じて明瞭に把握させ難いものとなっていた。
【先行技術文献】
【特許文献】
【０００５】
【特許文献１】特開平９−１４２５２２号公報
【発明の概要】
【発明が解決しようとする課題】
【０００６】
本発明は、以上のような事情に着目してなされたものであり、クリック音や荷重を加えた際の抵抗感による接続確認に依らず、視覚を通じて接続の確認を好適に行うことができる留め具を提供することにある。
【課題を解決するための手段】
【０００７】
すなわち、本発明は次の構成をなしている。
【０００８】
請求項１に記載の発明は、接続面を有した第一の接続対象物と、この第一の接続対象物の接続面に対向する接続面を有した板状をなす第二の接続対象物とを前記接続面同士を合わせるように接続するための留め具であって、前記第一の接続対象物の接続面に設けられ前記第二の接続対象物に向けて突出する突起を有したオス部材と、このオス部材に対応させて前記第二の接続対象物の接続面に設けられ前記突起と着脱可能に弾性係合する係合孔を有したメス部材とを具備してなり、前記メス部材が前記係合孔に係合した前記突起の先端を第二の接続対象物の反接続面側から視認可能にするための視認窓を備えたものであり、前記メス部材をメス部材側の取付部材を用いて前記第二の接続対象物に取り付けるものであって、前記第二の接続対象物がメス部材取付用の貫通孔を有したものであり、前記メス部材が前記貫通孔に遊嵌する筒状部と、この筒状部の外方端部外周に設けられ前記第二の接続対象物の接続面に添接する鍔部と、前記筒状部の内方端側の外周に設けられ軸心方向に所定のピッチで配列された複数の厚み調整爪とを備えたものであり、前記メス部材側の取付部材が、前記メス部材の筒状部の外周に外嵌する外嵌筒状部と、この外嵌筒状部の外方端部外周に設けられ前記第二の接続対象物の反接続面に添接する鍔部と、前記外嵌筒状部の内方端部内周に設けられ前記メス部材の厚み調整爪の何れかに選択的に係わり合う係合爪とを備えたものであり、前記メス部材側の取付部材の外嵌筒状部が、前記メス部材の視認窓を前記第二の接続対象物の反接続面側から視認可能にするための貫通孔を備えているものであり、前記オス部材をオス部材側の取付部材を用いて板状をなす前記第一の接続対象物に取り付けるものであって、前記第一の接続対象物が前記オス部材を取り付けるための貫通孔を有したものであり、前記オス部材が、前記貫通孔に遊嵌する筒状部と、この筒状部の外方端部に設けられ前記第一の接続対象物の接続面に添接する鍔部と、この鍔部の中心部分に突設された前記突起と、前記筒状部の内方端側外周に設けられ軸心方向に所定のピッチで配列された複数の厚み調整爪とを備えたものであり、前記オス部材側の取付部材が、前記オス部材の筒状部の外周に外嵌する外嵌筒状部と、この外嵌筒状部の外方端部外周に設けられ前記第一の接続対象物の反接続面に添接する鍔部と、前記外嵌筒状部の内方端部内周に設けられ前記オス部材の厚み調整爪の何れかに選択的に係わり合う係合爪とを備えたものであり、前記メス部材側の取付部材と前記オス部材側の取付部材とが同一構造をなしている留め具である。
【０００９】
ここで、「板状」とは、板に近似した外観を呈し得る態様を意味する。すなわち「板状」は、大きく撓んだり変形したりし得る軟質の態様であってもよいし、撓みの生じ難い硬質の態様であってもよい。また、「板状」は、複数の部材が積層されて構成された態様であってもよい。
【００１２】
請求項２に記載の発明は、請求項１に記載の構成において、前記オス部材の突起が、基端側に小径部を有するとともに先端側に大径部を有した断面矢尻状のものであり、前記メス部材の係合孔が、内方端部に前記突起の大径部よりも小さな内径を有し前記突起の小径部に係わり合う縮径部を有したものであり、前記メス部材が、前記突起挿入時に前記縮径部の内径を一時的に拡張するための弾性変形促進用のスリットを有したものであり、このメス部材に前記オス部材をスナップボタン方式で着脱できるように構成されたものである。
【００１３】
請求項３に記載の発明は、請求項１又は２記載の構成において、前記オス部材の色彩と前記メス部材の色彩とを相互に異ならせているものである。
【発明の効果】
【００１４】
以上説明したように本発明によれば、クリック音や荷重を加えた際の抵抗感による接続確認に依らず、視覚を通じて接続の確認を好適に行うことができる留め具を提供することができる。
【図面の簡単な説明】
【００１５】
【図１】本発明の一実施形態を示す斜視図。
【図２】同斜視図。
【図３】同実施形態における一部を切断した態様の斜視図。
【図４】同斜視図。
【図５】各部材をそれぞれ離間させた状態で示す斜視図。
【図６】各部材同士の係合態様を説明するための断面図。
【図７】異なる寸法の取付部材を適用する例を説明するための側面図。
【図８】留め具の中央断面図。
【図９】オス部材とメス部材との接続前後を説明するための説明図。
【発明を実施するための形態】
【００１６】
以下、本発明の一実施形態を、図１〜９を参照して説明する。
【００１７】
この実施形態は、本発明を、第一、第二の接続対象物である第一、第二の板材Ｐ１、Ｐ２同士を接続するための留め具Ｔに適用したものである。
【００１８】
この実施形態における第一、第二の板材Ｐ１、Ｐ２は、プラスチック中空板と称される平板状をなす樹脂成型品である。第一、第二の板材Ｐ１、Ｐ２は、それぞれ、多数のキャップ状の突起ｔを有するキャップシートｓ１と、このキャップシートｓ１を挟むように底面側（裏面側）及び頂面側（表面側）に配される平坦なバックシートｓ２及びライナーシートｓ３とを備えた３層状のものである。
【００１９】
第一、第二の板材Ｐ１、Ｐ２は、例えば、種々の荷物を収容するための収容空間を有した箱体（図示せず）の構成部品として使用される。すなわち、一方側となる第一の板材Ｐ１又は第二の板材Ｐ２は、前記収容空間を閉塞するための蓋部材（図示せず）として使用され、他方側となる第二の板材Ｐ２又は第一の板材Ｐ１は、荷物を収容するための収容空間を形成する蓋本体（図示せず）として使用される。
【００２０】
第一の板材Ｐ１は、第二の板材Ｐ２と接続するときに第二の板材Ｐ２側を向く接続面Ｐ１１と、この接続面Ｐ１１の反対側を向く反接続面Ｐ１２と、これら接続面Ｐ１１側と反接続面Ｐ１２側とを連通する貫通孔Ｐ１３とを備えている。貫通孔Ｐ１３は、オス部材１と取付部材３とを第一の板材Ｐ１に対して取り付けるためのものである。
【００２１】
第二の板材Ｐ２は、第１の板材Ｐ１と接続するときに第一の板材Ｐ１側を向く接続面Ｐ２１と、この接続面Ｐ２１の反対側を向く反接続面Ｐ２２と、これら接続面Ｐ２１側と反接続面Ｐ２２側とを連通する貫通孔Ｐ２３とを備えている。貫通孔Ｐ２３は、メス部材２と取付部材４とを第二の板材Ｐ２に対して取り付けるためのものである。
【００２２】
この実施形態では、第一の板材Ｐ１に留め具Ｔを構成するオス部材１と取付部材３とが脱落し難い態様で取り付けられており、第二の板材Ｐ２に、留め具Ｔを構成するメス部材２と取付部材４とが脱落し難い態様で取り付けられている。
【００２３】
留め具Ｔは、接続面Ｐ１１を有した板状をなす第一の板材Ｐ１と、この第一の板材Ｐ１の接続面Ｐ１１に対向する接続面Ｐ２１を有した板状をなす第二の板材Ｐ２とを前記接続面Ｐ１１、Ｐ２１同士を合わせるように接続するためのものである。
【００２４】
留め具Ｔは、前記第一の板材Ｐ１の接続面Ｐ１１に設けられ前記第二の板材Ｐ２に向けて突出する突起１１を有したオス部材１と、このオス部材１に対応させて前記第二の板材Ｐ２の接続面Ｐ２１に設けられ前記突起１１と着脱可能に弾性係合する係合孔２１を有したメス部材２とを具備してなり、前記メス部材２が前記係合孔２１に係合した前記突起１１の先端を第二の板材Ｐ２の反接続面Ｐ２２側から視認可能にするための視認窓２ａを備えている。
【００２５】
この実施形態では、前記オス部材１を、取付部材３を用いて板状をなす前記第一の板材Ｐ１に取り付けるようにしている。すなわち、一方側からオス部材１の一部を第一の板材Ｐ１の貫通孔Ｐ１３内に挿入するとともに、他方側から取付部材３の一部を第一の板材Ｐ１の貫通孔Ｐ１３内に挿入し、次いで、オス部材１と取付部材３とを離脱し難い態様で密に係わり合わせることにより、第一の板材Ｐ１を挟み込むようにしてオス部材１と取付部材３とを取り付けるようにしてある。
【００２６】
また、この実施形態では、前記メス部材２を、取付部材４を用いて前記第二の板材Ｐ２に取り付けるようにしている。すなわち、一方側からメス部材２の一部を第二の板材Ｐ２の貫通孔Ｐ２３内に挿入するとともに他方側から取付部材４の一部を第二の板材Ｐ２の貫通孔Ｐ２３内に挿入し、次いで、メス部材２と取付部材４とを離脱し難い態様で密に係わり合わせることにより、第二の板材Ｐ２を挟み込むようにしてメス部材２と取付部材４とを取り付けるようにしてある。
【００２７】
なお、オス部材１と係わり合う取付部材３とメス部材２と係わり合う取付部材４とは共通の仕様で作ることができるようになっている。換言すれば、留め具Ｔは、オス部材１と係わり合う取付部材３とメス部材２と係わり合う取付部材４を同一構造をなす共通部品とすることができるようになっている。
【００２８】
オス部材１は、第一の板材Ｐ１に装着される樹脂製のものである。オス部材１は、前記第一の板材Ｐ１の貫通孔Ｐ１３に遊嵌する筒状部１２と、この筒状部１２の外方端部に設けられ前記第一の板材Ｐ１の接続面Ｐ１１に添接する鍔部１３と、この鍔部１３の中心部分に突設された前記突起１１と、前記筒状部１２の内方端側外周に設けられ軸心方向に所定のピッチで配列された複数の厚み調整爪１４とを備えている。
【００２９】
オス部材１の突起１１は、メス部材２の係合孔２１に着脱可能に係わり合うためのものであり、基端側に小径部１１１を有するとともに先端側に大径部１１２を有した断面矢尻状のものである。換言すれば、突起１１は、径を異ならせた円柱状のもので、小径部１１１は大径部１１２よりも径が短く設定されており大径部１１２は小径部１１１よりも径が長く設定されている。
【００３０】
オス部材１の筒状部１２は、第一の板材Ｐ１の貫通孔Ｐ１３内に位置するとともに後述する取付部材３の外嵌筒状部３１に内嵌される円筒状のものである。筒状部１２の外周には、軸方向に１ｍｍピッチで厚み調整爪１４が３箇所に並んで形成されている。
【００３１】
オス部材１の鍔部１３は、円盤状のもので筒状部１２側を向く面が第一の板材Ｐ１の接続面Ｐ１１に添接し得るように構成されている。
【００３２】
オス部材１と係合する取付部材３は、第一の板材Ｐ１に装着される樹脂製のものである。取付部材３は、前記オス部材１の筒状部１２の外周に外嵌する外嵌筒状部３１と、この外嵌筒状部３１の外方端部外周に設けられ前記第一の板材Ｐ１の反接続面Ｐ１２に添接する鍔部３２と、前記外嵌筒状部３１の内方端部内周に設けられ前記オス部材１においてその軸心方向に複数配列された厚み調整爪１４の何れかに選択的に係わり合う係合爪３３とを備えている。外嵌筒状部３１は底部の無い円筒状のものである。すなわち、外嵌筒状部３１は、前後方向に貫通する貫通孔３４が設けられている。外嵌筒状部３１と鍔部３３との境界部分には、複数箇所にリブｒが設けられている。取付部材３の鍔部３２は、円盤状のもので外嵌筒状部３１側を向く面が第一の板材Ｐ１の反接続面Ｐ１２に添接し得るように構成されている。
【００３３】
メス部材２は、第二の板材Ｐ２に装着される樹脂製のものである。メス部材２は、前記第二の板材Ｐ２の貫通孔Ｐ２３に遊嵌する筒状部２２と、この筒状部２２の外方端部外周に設けられ前記第二の板材Ｐ２の接続面Ｐ２１に添接する鍔部２３と、前記筒状部２２の内方端側の外周に設けられ軸心方向に所定のピッチで配列された複数の厚み調整爪２４とを備えている。
【００３４】
メス部材２の係合孔２１は、オス部材１の突起１１を着脱可能に支持し得るものであり、内方端部に前記突起１１の大径部１１２よりも小さな内径を有し前記突起１１の小径部１１１に係わり合う縮径部２１１を有している。
【００３５】
メス部材２は、オス部材１の突起１１を前記係合孔２１に係わり合わせるべく当該係合孔２１に挿入した時に、前記係合孔２１の縮径部２１１の内径を一時的に拡張するための弾性変形促進用のスリット２ｂを有している。スリット２ｂは、係合孔２１における円環状の縮径部２１１を一時的に樹脂の弾性変形により拡張し易くするためのもので、縮径部２１１を連続する環状構造にさせないよう分断し得る位置に設けられている。言い換えると、スリット２ｂは、係合孔２１における突起１１の挿入口周辺、すなわち、係合孔２１を形成している筒状部２２と第二の板材Ｐ２に添接する鍔部２３に亘って連続して形成されている。この実施形態ではスリット２ｂは２箇所に設けられている。
【００３６】
メス部材２の筒状部２２は、第二の板材Ｐ２の貫通孔Ｐ２３内に位置するとともに後述する取付部材４の外嵌筒状部４１に内嵌される円筒状のものである。筒状部２２の外周には、軸方向に１ｍｍピッチで厚み調整爪２４が３箇所に並んで形成されている。
【００３７】
メス部材２の鍔部２３は、円盤状のもので筒状部２２側を向く面が第二の板材Ｐ２の接続面Ｐ２１に添接し得るように構成されている。
【００３８】
メス部材２と係合する取付部材４は、第二の板材Ｐ２に装着される樹脂製のものである。取付部材４は、前記メス部材２の筒状部２２の外周に外嵌する外嵌筒状部４１と、この外嵌筒状部４１の外方端部外周に設けられ前記第二の板材Ｐ２の反接続面Ｐ２２に添接する鍔部４２と、前記外嵌筒状部４１の内方端部内周に設けられ前記メス部材２においてその軸心方向に複数配列された厚み調整爪２４の何れかに選択的に係わり合う係合爪４３とを備えている。第二の板材Ｐ２に装着される前記取付部材４の外嵌筒状部４１は、前記メス部材２の視認窓２ａを前記第二の板材Ｐ２の反接続面Ｐ２２側から視認可能にするための貫通孔４４を備えている。外嵌筒状部４１は底部の無い筒状のものである。すなわち、外嵌筒状部４１は、前後方向に貫通する貫通孔４４が設けられている。外嵌筒状部４１と鍔部４３との境界部分には、複数箇所にリブｒが設けられている。取付部材４の鍔部４２は、円盤状のもので外嵌筒状部４１側を向く面が第二の板材Ｐ２の反接続面Ｐ２２に添接し得るように構成されている。
【００３９】
この実施形態では、オス部材１の色彩とメス部材２及びメス部材２側の取付部材４の色彩とを相互に異ならせている。色彩は任意のものを選択できることは言うまでもないが、その一例としては、オス部材１は赤色の色彩に設定されたものとし、メス部材２及び取付部材４は黒色の色彩に設定されたものとした態様が挙げられる。オス部材１の色彩とメス部材２の色彩とを相互に異ならせたのは、メス部材２に係合する前後でメス部材２の視認窓２ａから視認されるオス部材１の突起１１の視認可能領域を把握し易くするためである。
【００４０】
しかして、この実施形態の留め具Ｔは、オス部材１とメス部材２との接続を使用者に視覚を通じて確認させ得る接続確認手段Ｊを備えている。この実施形態における接続確認手段Ｊは、突起１１を有したオス部材１とこの突起１１が着脱可能に係わり合う係合孔２１及び視認窓２ａを有したメス部材２とを主体に構成されている。
【００４１】
すなわち、接続確認手段Ｊを構成するメス部材２は、その係合孔２１に係合したオス部材１の突起１１の先端を第二の板材Ｐ２の反接続面Ｐ２２側から視認可能にするための視認窓２ａを備えている。このため、第二の板材Ｐ２の反接続面Ｐ２２側から、メス部材２の係合孔２１に挿入された状態の突起１１の先端を、看者、すなわち使用者や作業者等の目視する者に対して視覚を通じて把握させることによりオス部材１とメス部材２との接続の是非を確認させ得るものとなる。
【００４２】
より詳しく言えば、図９に示すように、オス部材１の突起１１（図９では、オス部材１を色付けして示している。）がメス部材２の係合孔２１に係合する前の状態（接続前）においては、第二の板材Ｐ２の反接続面Ｐ２２側からは、挿入されるべき突起１１の先端（及び、鍔部１３の一部）が係合孔２１の縮径部２１１の存在により一定の範囲を視認不能に遮られた態様で看者によって視覚的に把握されることになる。一方、オス部材の突起１１がメス部材２の係合孔２１に係合した後の状態（接続後）においては、第二の板材Ｐ２の反接続面Ｐ２２側からは、係合孔２１に挿入され当該係合孔２１の縮径部２１１を通過した突起１１の大径部１１２の略全体が看者によって視覚的に把握されることになる。つまり、本実施形態における接続確認手段Ｊは、突起１１と係合孔２１とが係わり合った状態において、第二の板材Ｐ２の反接続面Ｐ２２側から視覚を通じて把握される突起１１の視認可能領域が、突起１１と係合孔２１とが係わり合う前の状態よりも拡張するように構成されている。そして、突起１１の視認可能領域の相違を把握した看者は、オス部材１とメス部材２との係わり合いの是非を確認することができるようになっている。加えて、突起１１の奥から手前への移動により突起１１の視認可能領域の広がりが立体的に確認することができる。
【００４３】
このように、看者は、突起１１の視認可能領域が拡張をしたことを把握することで、オス部材１とメス部材２とが係わり合ったことを確認することができる。しかも、オス部材１とメス部材２の色彩を変えておけば、突起１１が係合孔２１に係合する前後で視認範囲領域が変化することを視覚を通じて顕著に把握し易いものとなる。
【００４４】
次いで、オス部材１と取付部材３の第一の板材Ｐ１に対する取り付け、及び、メス部材２と取付部材４の第二の板材Ｐ２に対する取り付けについて図５、６、及び７等を参照して説明する。
【００４５】
まず、オス部材１と取付部材３の第一の板材Ｐ１に対する取り付けは次のとおりである。すなわち、接続面Ｐ１１側からオス部材１の筒状部１２を第一の板材Ｐ１の貫通孔Ｐ１３内に挿入するとともに、反接続面Ｐ１２側から取付部材３の外嵌筒状部３１を第一の板材Ｐ１の貫通孔Ｐ１３内に挿入し、筒状部１２を外嵌筒状部３１に比較的強い力で押し込んで内嵌めする。このとき、オス部材１の鍔部１３と取付部材３の鍔部３２の離間寸法が第一の板材Ｐ１の厚み寸法に略相応するように、厚み調整爪１４と係合爪３３とが係わり合う位置を調整する。例えば、第一の板材Ｐ１の厚み寸法が６ｍｍに設定されている場合には、外嵌筒状部３１の前後寸法が６ｍｍに設定された取付部材３を用意する。そして、当該取付部材３の係合爪３３を最も奥側に位置する厚み調整爪１４に係わり合わせることにより、オス部材１の鍔部１３と取付部材３の鍔部３２の離間寸法が、第一の板材Ｐ１の厚み寸法（６ｍｍ）に略相応した６ｍｍに設定されることになる。このようにして、第一の板材Ｐ１の厚み寸法に対応してオス部材１と取付部材３とを連結し、両者を第一の板材Ｐ１に取り付けることができる。
【００４６】
メス部材２と取付部材４の第二の板材Ｐ２に対する取り付けは次のとおりである。すなわち、接続面Ｐ２１側からメス部材２の筒状部２２を第二の板材Ｐ２の貫通孔Ｐ２３内に挿入するとともに、反接続面Ｐ２２側から取付部材４の外嵌筒状部４１を第二の板材Ｐ２の貫通孔Ｐ２３内に挿入し、筒状部２２を外嵌筒状部４１に比較的強い力で押し込んで内嵌めする。このとき、メス部材２の鍔部２３と取付部材４の鍔部４２の離間寸法が第二の板材Ｐ２の厚み寸法に略相応するように、厚み調整爪２４と係合爪４３とが係わり合う位置を調整する。例えば、第二の板材Ｐ２の厚み寸法が６ｍｍに設定されている場合には、外嵌筒状部４１の前後寸法が６ｍｍに設定された取付部材４を用意する。そして、当該取付部材４の係合爪４３を最も奥側に位置する厚み調整爪２４に係わり合わせることにより、メス部材２の鍔部２３と取付部材４の鍔部４２の離間寸法が、第二の板材Ｐ２の厚み寸法（６ｍｍ）に略相応した６ｍｍに設定されることになる。このようにして、第二の板材Ｐ２の厚み寸法に対応してメス部材２と取付部材４とを連結し、両者を第二の板材Ｐ２に取り付けることができる。
【００４７】
以上、詳述したように本実施形態における留め具Ｔは、接続面Ｐ１１を有した第一の板材Ｐ１と、この第一の板材Ｐ１の接続面Ｐ１１に対向する接続面Ｐ２１を有した板状をなす第二の板材Ｐ２とを前記接続面Ｐ１１、Ｐ２１同士を合わせるように接続するための留め具Ｔである。そして、前記第一の板材Ｐ１の接続面Ｐ１１に設けられ前記第二の板材Ｐ２に向けて突出する突起１１を有したオス部材１と、このオス部材１に対応させて前記第二の板材Ｐ２の接続面Ｐ２１に設けられ前記突起１１と着脱可能に弾性係合する係合孔２１を有したメス部材２とを具備してなる。さらに、前記メス部材２が前記係合孔２１に係合した前記突起１１の先端を第二の板材Ｐ２の反接続面Ｐ２２側から視認可能にするための視認窓２ａを備えている。このため、視認窓２ａを通じて第二の板材Ｐ２の反接続面Ｐ２２側から係合状態の突起１１を目視により確認することができるものとなる。つまり、本実施形態の留め具Ｔであれば、クリック音や荷重を加えた際の抵抗感による接続確認に依らず、視覚を通じて接続の確認を好適に行うことができるものとなる。
【００４８】
前記メス部材２を取付部材４を用いて前記第二の板材Ｐ２に取り付けるものであって、前記第二の板材Ｐ２がメス部材取付用の貫通孔Ｐ２３を有したものであり、前記メス部材２が前記貫通孔Ｐ２３に遊嵌する筒状部２２と、この筒状部２２の外方端部外周に設けられ前記第二の板材Ｐ２の接続面Ｐ２１に添接する鍔部２３と、前記筒状部２２の内方端側の外周に設けられ軸心方向に所定のピッチで配列された複数の厚み調整爪２４とを備えている。そして、前記取付部材４が、前記メス部材２の筒状部２２の外周に外嵌する外嵌筒状部４１と、この外嵌筒状部４１の外方端部外周に設けられ前記第二の板材Ｐ２の反接続面Ｐ２２に添接する鍔部２３と、前記外嵌筒状部４１の内方端部内周に設けられ前記メス部材２の厚み調整爪２４の何れかに選択的に係わり合う係合爪４３とを備えている。さらに、前記取付部材４の外嵌筒状部４１が、前記メス部材２の視認窓２ａを前記第二の板材Ｐ２の反接続面Ｐ２２側から視認可能にするための貫通孔４４を備えている。このため、基本的に特別な工具を用いることもなく、メス部材２と取付部材４を好適に第二の板材Ｐ２に取り付けることができるものとなる。しかも、メス部材２の筒状部２２外周に複数の厚み調整爪２４を設けており、これら厚み調整爪２４の何れかに選択的に係わり合う係合爪４３を取付部材４に設けているので、第二の板材Ｐ２の厚み寸法に柔軟に適応させてメス部材２と取付部材４とを第二の板材Ｐ２に取り付けることができるものとなる。さらに、貫通孔４４を通して、メス部材２の視認窓２ａを視認可能であるため、確実に第二の板材Ｐ２の反接続面Ｐ２２側からオス部材１の突起１１を目視により確認することができるものとなる。
【００４９】
前記オス部材１を取付部材３を用いて板状をなす前記第一の板材Ｐ１に取り付けるものであって、前記第一の板材Ｐ１が前記オス部材１を取り付けるための貫通孔Ｐ１３を有したものであり、前記オス部材１が、前記貫通孔Ｐ１３に遊嵌する筒状部１２と、この筒状部１２の外方端部に設けられ前記第一の板材Ｐ１の接続面Ｐ１１に添接する鍔部１３と、この鍔部１３の中心部分に突設された前記突起１１と、前記筒状部１２の内方端側外周に設けられ軸心方向に所定のピッチで配列された複数の厚み調整爪１４とを備えている。そして、前記取付部材３が、前記オス部材１の筒状部１２の外周に外嵌する外嵌筒状部３１と、この外嵌筒状部３１の外方端部外周に設けられ前記第一の板材Ｐ１の反接続面Ｐ１２に添接する鍔部１３と、前記外嵌筒状部３１の内方端部内周に設けられ前記オス部材１の厚み調整爪１４の何れかに選択的に係わり合う係合爪３３とを備えている。このため、基本的に特別な工具を用いることもなく、オス部材１と取付部材３を好適に第一の板材Ｐ１に取り付けることができるものとなる。しかも、オス部材１の筒状部１２外周に複数の厚み調整爪１４を設けており、これら厚み調整爪１４の何れかに選択的に係わり合う係合爪３３を取付部材３に設けているので、第一の板材Ｐ１の厚み寸法に柔軟に適応させてオス部材１と取付部材３とを第一の板材Ｐ１に取り付けることができるものとなる。
【００５０】
前記オス部材１の突起１１が、基端側に小径部１１１を有するとともに先端側に大径部１１２を有した断面矢尻状のものであり、前記メス部材２の係合孔２１が、内方端部に前記突起１１の大径部１１２よりも小さな内径を有し前記突起１１の小径部１１１に係わり合う縮径部２１１を有している。さらに、前記メス部材２が、前記突起１１挿入時に前記縮径部２１１の内径を一時的に拡張するための弾性変形促進用のスリット２ｂを有している。このため、メス部材２に前記オス部材１を係合音を伴わせて係合するいわゆるスナップボタン方式で着脱できるように構成された好適な留め具Ｔを提供することができるものとなる。また、突起１１が小径部１１１と大径部１１２とを有し、縮径部２１１が大径部１１２を通過させた後に小径部１１１と係わり合うため、オス部材１とメス部材２とを好適に着脱可能に係わり合わせることができる。しかも、メス部材２が縮径部２１１の内径を一次的に拡張するためのスリット２ｂを有しているため、オス部材１とメス部材２との係脱を適切な力で行うための設計の自由度が向上するものとなる。
【００５１】
前記オス部材１の色彩と前記メス部材２の色彩とを相互に異ならせているため、突起１１の存在を、見る者（看者、すなわち使用者や作業者等の目視する者）に対して視覚を通じて顕著に確認させることができるものとなる。すなわち、オス部材１とメス部材２の色彩を異ならせておけば、突起１１が係合孔２１に係合する前段階と突起１１が係合孔２１に係合する後段階とによって、視認される突起１１の視認範囲領域が相違することを視覚を通じて認識させやすいものとなる。
【００５２】
オス部材１と係わり合う取付部材３とメス部材２と係わり合う取付部材４とは共通の仕様で作ることができるようになっている。このため、本実施形態に係る留め具Ｔであれば、製造工数の低減に寄与し得るものとなる。
【００５３】
その一方で、外嵌筒状部３１、４１の前後寸法を種々の長さに設定した取付部材３、４を用意しておけば、厚み寸法の異なる第一、第二の板材Ｐ１、Ｐ２が登場した場合でも、より好適にオス部材１やメス部材２を第一、第二の板材Ｐ１、Ｐ２に取り付けることができるものとなる。例えば、図７に示すように、取付部材３、４の外嵌筒状部３１、４１の前後寸法を、３ｍｍ、６ｍｍ、９ｍｍとした３タイプ準備しておけば、オス部材１及びメス部材２と協働して、３ｍｍ〜１１ｍｍの厚み寸法をなす第一、第二の板材Ｐ１、Ｐ２に対して適切に止着され得るものとなる。
【００５４】
なお、本発明は、以上に詳述した実施形態に限られるものではない。
【００５６】
留め具が装着される接続対象物は、その全体が板状である必要はないし、板状に展開できるものでなくてもよい。少なくとも、メス部材を装着する側の接続対象物において当該メス部材が装着される部位のみが板状であれば、所期の目的を達成し得るものとなる。
【００５７】
第一、第二の接続対象物は、留め具による接続を阻害しないものであればどのような形状のものであってもよく、本実施形態に示されたようなプラスチック中空板に限定されるものではない。接続対象物は、例えば、布製、金属製、木製、樹脂製、陶磁製、又はガラス製、或いはこれらを適宜組み合わせた種々のものが考えられる。但し、本実施形態に示すようなプラスチック中空板に対して留め具を装着するものであると、プラスチック中空板に一定の厚み方向への弾性変形が許容されるため、好適にオス部材やメス部材を当該プラスチック中空板に密接させて装着することができるものとなる。
【００５８】
オス部材やメス部材の筒状部は円筒状のものでなくてもよく、角筒状のものであってもよい。
【００５９】
突起の形状も種々の形状を採用できるのは言うまでもない。
【００６０】
その他、各部の具体的構成についても上記実施形態に限られるものではなく、本発明の趣旨を逸脱しない範囲で種々変形が可能である。
【符号の説明】
【００６１】
１…オス部材
２…メス部材
２ａ…視認窓
３…取付部材
４…取付部材
１１…突起
２１…係合孔
Ｐ１…第一の板材（第一の接続対象物）
Ｐ２…第二の板材（第二の接続対象物）
Ｔ…留め具
【図１】
0006405127.tif 000002
【図２】
0006405127.tif 000003
【図３】
0006405127.tif 000004
【図４】
0006405127.tif 000005
【図５】
0006405127.tif 000006
【図６】
0006405127.tif 000007
【図７】
0006405127.tif 000008
【図８】
0006405127.tif 000009
【図９】
0006405127.tif 000010